(57)【要約】      （修正有）【課題】農作業や土木作業において荷物の運搬に使用される手押し一輪車において、荷皿を備えた構造であって荷物の運搬中の荷崩れを防止する。【解決手段】単輪の車輪２が支持されたフレーム１の上に荷物を載せる荷皿３が取付けられ、荷物を固定するロープ６が掛けられるロープ掛部５が備えられている。ロープ掛部５は、リング形に形成されて荷皿３の周縁の下部に固定されている。ロープ６は、長尺状の本体部６１の両端部にロープ掛部５に対して着脱可能なフック６２が取付けられている。【選択図】図１
0003204914.tif 000002
【実用新案登録請求の範囲】
【請求項１】
単輪の車輪が支持されたフレームの上に荷物を載せる荷皿が取付けられ、荷物を固定するロープが掛けられるロープ掛部が備えられた手押し一輪車において、ロープ掛部はリング形に形成されて荷皿の周縁の下部に固定され、ロープは長尺状の本体部の端部にロープ掛部に対して着脱可能なフックが取付けられていることを特徴とする手押し一輪車。
【請求項２】
請求項１の手押し一輪車において、ロープ掛部は荷皿の周縁の下部に固定された棒形のバーに間隔を介して固定されていることを特徴とする手押し一輪車。
【請求項３】
請求項１または２の手押し一輪車において、ロープは本体部に弾力伸縮性を有していることを特徴とする手押し一輪車。
【考案の詳細な説明】
【技術分野】
【０００１】
本考案は、農作業や土木作業において荷物の運搬に使用される手押し一輪車に係る技術分野に属する。
【背景技術】
【０００２】
手押し一輪車は、単輪の車輪が支持されたフレームの上に荷物を載せる荷皿が取付けられた構造となるのが一般的である。従って、荷物の運搬中にバランスをとるのが難しく、荷崩れを起こしやすいという特性がある。このため、荷物の運搬中の荷崩れを防止することのできる手押し一輪車の開発が要望されている。
【０００３】
従来、荷物の運搬中の荷崩れを防止することを指向した手押し一輪車としては、例えば、特許文献１に記載のものが知られている。
【０００４】
特許文献１には、下部に単輪の車輪が支持され上部が荷物を載せる荷台とされたフレームを備え、フレームに荷物を縛付けるロープが掛けられるロープ掛部が設けられた手押し一輪車が記載されている。
【０００５】
特許文献１に係る手押し一輪車は、ロープ掛部にロープを掛けてフレームに載せられた荷物を固定することで、荷物の運搬中の荷崩れを防止するものである。
【先行技術文献】
【特許文献】
【０００６】
【特許文献１】特開平９−７１２４３号公報
【考案の概要】
【考案が解決しようとする課題】
【０００７】
特許文献１に係る手押し一輪車では、フレームの上に荷物を載せる荷皿が取付けられていない構造であるため、そのまま荷皿を備えた手押し一輪車に適用することができないという問題点がある。
【０００８】
本考案は、このような問題点を考慮してなされたもので、荷皿を備えた構造であって荷物の運搬中の荷崩れを防止することのできる手押し一輪車を提供することを課題とする。
【課題を解決するための手段】
【０００９】
前述の課題を解決するため、本考案に係る手押し一輪車は、実用新案登録請求の範囲の各請求項に記載の手段を採用する。
【００１０】
即ち、請求項１では、単輪の車輪が支持されたフレームの上に荷物を載せる荷皿が取付けられ、荷物を固定するロープが掛けられるロープ掛部が備えられた手押し一輪車において、ロープ掛部はリング形に形成されて荷皿の周縁の下部に固定され、ロープは長尺状の本体部の端部にロープ掛部に対して着脱可能なフックが取付けられていることを特徴とする。
【００１１】
この手段では、ロープ掛部が荷物の邪魔にならない荷皿の周縁の下部に固定されしかもロープの掛けやすいリング形に形成され、ロープの本体部の端部にリング形のロープ掛部に掛けやすくするフックが取付けられることで、上面が広く開口された荷皿を備えていてもロープを掛けて荷皿に載せられた荷物を固定することができる。
【００１２】
また、請求項２では、請求項１の手押し一輪車において、ロープ掛部は荷皿の周縁の下部に固定された棒形のバーに間隔を介して固定されていることを特徴とする。
【００１３】
この手段では、ロープ掛部と荷皿との間に棒形のバーを介装することで、薄板材からなる荷皿の一部に荷物を固定しているロープの引張の応力が集中するのを避けることができる。
【００１４】
また、請求項３では、請求項１または２の手押し一輪車において、ロープは本体部に弾力伸縮性を有していることを特徴とする。
【００１５】
この手段では、ロープの本体部に弾力伸縮性を有することで、大きさの異なる荷物でも一定程度の引張力で縛付けることができる。
【考案の効果】
【００１６】
本考案に係る手押し一輪車は、ロープ掛部が荷物の邪魔にならない荷皿の周縁の下部に固定されしかもロープの掛けやすいリング形に形成され、ロープの本体部の端部にリング形のロープ掛部に掛けやすくするフックが取付けられることで、上面が広く開口された荷皿を備えていてもロープを掛けて荷皿に載せられた荷物を固定することができるため、荷皿を備えた構造であって荷物の運搬中の荷崩れを防止することができる効果がある。
【００１７】
さらに、請求項２として、ロープ掛部と荷皿との間に棒形のバーを介装することで、薄板材からなる荷皿の一部に荷物を固定しているロープの引張の応力が集中するのを避けることができるため、ロープを荷物に強く縛付けても荷皿の変形を防止することができる効果がある。
【００１８】
さらに、請求項３として、ロープの本体部に弾力伸縮性を有することで、大きさの異なる荷物でも一定程度の引張力で縛付けることができるため、長さの異なる多数本のロープを準備する必要がなくなる効果がある。
【図面の簡単な説明】
【００１９】
【図１】本考案に係る手押し一輪車を実施するための形態の斜視図である。
【図２】図１の使用状態における要部の拡大縦断面図である。
【図３】図１の使用状態におけるロープの配設例を示す平面図である。
【考案を実施するための形態】
【００２０】
以下、本考案に係る手押し一輪車を実施するための形態を図面に基づいて説明する。
【００２１】
この形態では、浅底タイプからなるものを示してある。
【００２２】
この形態は、フレーム１，車輪２，荷皿３，バー４，ロープ掛部５，ロープ６からなる。
【００２３】
フレーム１は、前部に車輪２を回転可能に支持する車輪受１１が設けられ、後部に手押しのためのハンドル１２が設けられ、中途部に非走行時の転倒を防止する補助脚１３が設けられている。
【００２４】
車輪２は、フレーム１の車輪受１１に回転可能に支持された単輪からなる。
【００２５】
荷皿３は、上面が広く開口された浅底に形成されてフレーム１の上に固定されている。薄板材からなる荷皿３の周縁３１は、図２に詳細に示されるように、芯金３２に巻付けられる構造で補強されている。
【００２６】
バー４は、棒形に形成されて荷皿３の周縁３１の下部に周縁３１に沿う格好で溶接等により固定されている。このバー４は、荷皿３の前後左右にそれぞれ固定されている。
【００２７】
ロープ掛部５は、リング形（円弧形）に形成されて荷皿３の前後左右にそれぞれ固定されたバー４に固定されている。このロープ掛部５は、各バー４に２個ずつの合計８個が設けられ、荷皿３の周縁３１の外側にあまり突出しないように設けられている。
【００２８】
ロープ６は、弾性伸縮性を有した長尺状のゴム帯からなる本体部６１の両端部にロープ掛部５に着脱可能なＵ字形のフック６２が取付けられている。
【００２９】
この形態によると、車輪２とフレーム１の補助脚１３とを接地させた状態で荷皿３に荷物を載せることになる。
【００３０】
そして、ロープ６の一方のフック６２を１つのロープ掛部５に掛けて荷物を縛付け、 ロープ６の他方のフック６２を他の１つのロープ掛部５に掛けることで、荷物を固定することができる。なお、ロープ６の掛け方向については、図３に示すように、荷物の大きさ，形状に対応して掛けるロープ掛部５を選択することで自由に設定することができる。
【００３１】
このロープ掛けでは、ロープ掛部５がリング形でロープ６のフック６２がＵ字形であるため、作業を容易，確実に行うことができ、その後のロープ掛部５とロープ６のフック６２との不測の離脱も避けることができる。また、ロープ掛部５がフレーム１ではなく荷皿３に設けられているため、ロープ６を無用に掛回す必要がなくなる。また、ロープ６の本体部６１に弾力伸縮性を有することで、大きさの異なる荷物でも一定程度の引張力で縛付けることができる。従って、長さの異なる多数本のロープ６を準備する必要がなくなる。また、ロープ掛部５と荷皿３との間に棒形のバー４を介装することで、薄板材からなる荷皿３の一部に荷物を固定しているロープ６の引張の応力が集中するのを避けることができる。従って、ロープ６を荷物に強く縛付けても荷皿３の変形を防止することができる。
【００３２】
荷皿３に荷物を固定した後には、フレーム１のハンドル１２を掴んで補助脚１３を地面から持上げて走行することになる。
【００３３】
このとき、ロープ６によって荷皿３に載せられた荷物が強固に固定されているため、荷崩れを起こすことはない。
【００３４】
また、ロープ掛部５が荷皿３の周縁３１の外側にあまり突出しないように設けられているため、走行中にロープ掛部５が人や物に引掛かることはなく、安全性が確保される。
【００３５】
以上、図示した形態の外に、ロープ掛部５を各バー４に１個または３個以上固定することも可能である。
【００３６】
さらに、ロープ６の本体部６１をゴム帯以外の弾性伸縮性を有するものとすることも可能である。
【００３７】
さらに、ロープ６のフック６２をＵ字形以外の形状とすることも可能である。
【符号の説明】
【００３８】
１            フレーム
２            車輪
３            荷皿
４            バー
５            ロープ掛部
６            ロープ
６２          フック
【図１】
0003204914.tif 000003
【図２】
0003204914.tif 000004
【図３】
0003204914.tif 000005